(57)【要約】本発明は、向上した信頼性を持つ無人航空機（ＵＡＶ）のための方法および装置を提供する。本発明の一態様によって、機上のセンサーが経験する機上の電気部品からの干渉が減少される。本発明の別の一態様によって、電気部品のユーザによる構成または組み立てが最小化されて、ユーザエラーが減少する。無人航空機（ＵＡＶ）は、空洞を形成する外側表面および内側表面を備える筐体と、前記空洞の内側に配置され、かつ前記ＵＡＶの動作を制御するように適合された１つ以上の電気部品と、前記筐体の外側に置かれるセンサーであって、前記センサの動作が、前記１つ以上の電気部品によって惹起される干渉を受けやすい、センサーと、を備える。【選択図】なし
2016505435.tif 000002
【特許請求の範囲】
【請求項１】
無人航空機（ＵＡＶ）であって、
空洞を形成する外側表面および内側表面を備える筐体と、
前記空洞の内側に配置され、かつ前記ＵＡＶの動作を制御するように適合された１つ以上の電気部品と、
前記筐体の外側に置かれるセンサーであって、前記センサの動作が、前記１つ以上の電気部品によって惹起される干渉を受けやすい、センサーと、を備える、無人航空機（ＵＡＶ）。
【請求項２】
無人航空機（ＵＡＶ）であって、
ユーザによる前記ＵＡＶの使用に先立って製造業者によって事前構成された１つ以上の事前構成済み電気部品であって、前記１つ以上の電気部品が、少なくとも飛行制御モジュールまたは電子速度制御（ＥＳＣ）モジュールを含む、１つ以上の事前構成済み電気部品と、
前記ＵＡＶ上で、前記１つ以上の事前構成済み電気部品から離れた位置に置かれたセンサーであって、前記センサの動作が、前記１つ以上の事前構成された電気部品によって惹起される干渉を受けやすい、センサーと、を備える、無人航空機（ＵＡＶ）。
【請求項３】
無人航空機（ＵＡＶ）であって、
前記ＵＡＶの動作を制御するように適合された１つ以上の電気部品と、
前記１つ以上の電気部品から離れて延長する延長部材上に置かれたセンサーであって、前記センサの動作が、前記１つ以上の電気部品によって惹起される干渉を受けやすい、センサーと、を備える、無人航空機（ＵＡＶ）。
【請求項４】
無人航空機（ＵＡＶ）であって、
前記ＵＡＶの動作を制御するように適合された１つ以上の電気部品と、
前記１つ以上の電気部品から少なくとも３ｃｍ離れ、かつ最大で０．５ｍ離れて置かれるセンサーであって、前記センサの動作が前記１つ以上の電気部品によって惹起される干渉を受けやすい、センサーと、を備える、無人航空機（ＵＡＶ）。
【請求項５】
無人航空機（ＵＡＶ）であって、
前記ＵＡＶの動作を制御するように適合された１つ以上の電気部品であって、前記１つ以上の電気部品が、ＧＰＳ受信機を含む、１つ以上の電気部品と、
前記ＵＡＶ上で、前記１つ以上の電気部品から離れた位置に置かれる少なくとも１つの磁力計を含むセンサであって、前記磁力計の動作が前記１つ以上の電気部品によって惹起される干渉を受けやすい、センサーと、を備える、無人航空機（ＵＡＶ）。
【請求項６】
前記センサーが、前記筐体から、かつ前記空洞から離れて延長する延長部材の上に置かれる、請求項１に記載のＵＡＶ。
【請求項７】
前記延長部材が、前記ＵＡＶが飛行中でないときに前記ＵＡＶの重量を、全体的または部分的に支持するように適合される支持部材を含む、請求項３または６に記載のＵＡＶ。
【請求項８】
前記支持部材が、着陸スタンドを含む、請求項７に記載のＵＡＶ。
【請求項９】
前記センサーが、前記筐体の前記外側表面上に直接に置かれる、請求項１に記載のＵＡＶ。
【請求項１０】
前記ＵＡＶが１つ以上の回転子を備え、前記センサーが前記１つ以上の回転子の下に置かれる、請求項１、２、３、４、または５に記載のＵＡＶ。
【請求項１１】
前記センサーと前記１つ以上の電気部品との間の最小距離が、少なくとも約３センチメートルである、請求項１、２、３、または５に記載のＵＡＶ。
【請求項１２】
前記センサーと前記１つ以上の電気部品との間の最大距離が、最大で０．５メートルである、請求項１、２、３、または５に記載のＵＡＶ。
【請求項１３】
前記電気部品のうちの少なくとも１つが、前記ＵＡＶの製造業者によって事前構成される、請求項１、３、４、または５に記載のＵＡＶ。
【請求項１４】
前記少なくとも１つの事前構成済み電気部品が、前記ＵＡＶの動作を制御するために必要で、かつ十分な電気ユニットを形成するために用いられる、請求項１３に記載のＵＡＶ。
【請求項１５】
前記電気ユニットが、飛行制御モジュール、ＧＰＳ受信機、または電子速度制御（ＥＳＣ）モジュールのうちの少なくとも１つを含む、請求項１４に記載のＵＡＶ。
【請求項１６】
前記センサーが、磁場を測定するように適合される、請求項１、２、３、または４に記載のＵＡＶ。
【請求項１７】
前記センサーが、磁力計を含む、請求項１、２、３、または４に記載のＵＡＶ。
【請求項１８】
前記磁力計が、羅針盤を含む、請求項１７に記載のＵＡＶ。
【請求項１９】
前記干渉が、磁気干渉または電磁干渉を含む、請求項１、２、３、４、または５に記載のＵＡＶ。
【請求項２０】
前記１つ以上の電気部品が、ＧＰＳ受信機を含む、請求項１、２、３、または４に記載のＵＡＶ。
【請求項２１】
前記１つ以上の電気部品が、回転子羽根と、前記回転子羽根を起動するように構成されたアクチュエータとを含むアクチュエータアセンブリを含む、請求項１、２、３、４、または５に記載のＵＡＶ。
【請求項２２】
前記１つ以上の電気部品が、少なくとも３つのアクチュエータアセンブリを含む、請求項２１に記載のＵＡＶ。
【請求項２３】
前記筐体が、導電性の遮蔽材料を含む、請求項１に記載のＵＡＶ。
【請求項２４】
前記筐体が、前記空洞を形成するように取り外し可能に連結される上部筐体部材および下部筐体部材を備える、請求項１に記載のＵＡＶ。
【請求項２５】
前記筐体が、１つ以上の分岐筐体部材に接続される中心筐体部材を備え、前記中心筐体部材が中心空洞を形成し、前記１つ以上の分岐筐体部材が、対応する１つ以上の分岐空洞を形成する、請求項１に記載のＵＡＶ。
【請求項２６】
前記１つ以上の電気部品のうちの少なくとも１つが、前記中心空洞の内側に置かれる、請求項２５に記載のＵＡＶ。
【請求項２７】
前記中心空洞の内側に置かれる前記少なくとも１つの電気部品が、電源、飛行制御モジュール、慣性測定ユニット（ＩＭＵ）、またはＧＰＳ受信機のうちの少なくとも１つを含む、請求項２６に記載のＵＡＶ。
【請求項２８】
前記１つ以上の電気部品のうちの少なくとも１つが、前記１つ以上の分岐空洞のうちの１つの内側に置かれる、請求項２５に記載のＵＡＶ。
【請求項２９】
前記１つ以上の分岐空洞のうちの１つの内側に置かれる前記少なくとも１つの電気部品が、電子速度制御（ＥＳＣ）モジュールまたはアクチュエータを含む、請求項２８に記載のＵＡＶ。
【請求項３０】
前記１つ以上の分岐筐体部材が、前記ＵＡＶの１つ以上の回転子にそれぞれ対応する、請求項２５に記載のＵＡＶ。
【請求項３１】
前記１つ以上の分岐筐体部材のうちの少なくとも１つが、前記中心筐体部材に取り外し可能に接続される、請求項２５に記載のＵＡＶ。
【請求項３２】
前記ＵＡＶが、空洞を形成する外側表面および内側表面を備える筐体を備える、請求項２、３、４、または５に記載のＵＡＶ。
【請求項３３】
前記１つ以上の電気部品が、前記空洞の内側に配置される、請求項３２に記載のＵＡＶ。
【請求項３４】
前記センサーが、前記筐体の外側に置かれる、請求項３２に記載のＵＡＶ。
【請求項３５】
前記センサーが、前記筐体から、かつ前記空洞から離れて延長する延長部材の上に置かれる、請求項３４に記載のＵＡＶ。
【請求項３６】
前記センサーが、前記筐体の外側表面上に直接に置かれる、請求項３４に記載のＵＡＶ。
【請求項３７】
前記筐体が、導電性の遮蔽材料を含む、請求項３２に記載のＵＡＶ。
【請求項３８】
前記筐体が、前記空洞を形成するように取り外し可能に連結される上部筐体部材および下部筐体部材を備える、請求項３２に記載のＵＡＶ。
【請求項３９】
前記筐体が、１つ以上の分岐筐体部材に接続される中心筐体部材を備え、前記中心筐体部材が中心空洞を形成し、前記１つ以上の分岐筐体部材が、対応する１つ以上の分岐空洞を形成する、請求項３２に記載のＵＡＶ。
【請求項４０】
前記１つ以上の電気部品のうちの少なくとも１つが、前記中心空洞の内側に置かれる、請求項３９に記載のＵＡＶ。
【請求項４１】
前記中心空洞の内側に置かれる前記少なくとも１つの電気部品が、電源、飛行制御モジュール、慣性測定ユニット（ＩＭＵ）、またはＧＰＳ受信機のうちの少なくとも１つを含む、請求項４０に記載のＵＡＶ。
【請求項４２】
前記１つ以上の電気部品のうちの少なくとも１つが、前記１つ以上の分岐空洞のうちの１つの内側に置かれる、請求項３９に記載のＵＡＶ。
【請求項４３】
前記１つ以上の分岐空洞のうちの１つの内側に置かれる前記少なくとも１つの電気部品が、電子速度制御（ＥＳＣ）モジュールまたはアクチュエータを含む、請求項４２に記載のＵＡＶ。
【請求項４４】
前記１つ以上の分岐筐体部材が、前記ＵＡＶの１つ以上の回転子にそれぞれ対応する、請求項３９に記載のＵＡＶ。
【請求項４５】
前記１つ以上の分岐筐体部材のうちの少なくとも１つが、前記中心筐体部材に取り外し可能に接続される、請求項３９に記載のＵＡＶ。
【請求項４６】
無人航空機（ＵＡＶ）の１つ以上の電気部品からの干渉を受けやすいセンサーによって経験される干渉を減少させる方法であって、前記方法は、請求項１、２、または３に記載のＵＡＶを提供し、これにより前記干渉を減少させることを含む、方法。
【請求項４７】
無人航空機（ＵＡＶ）の１つ以上の電気部品からの干渉を受けやすいセンサーによって経験される干渉を減少させる方法であって、前記方法は、請求項４、または５に記載のＵＡＶを提供し、これにより前記干渉を減少させることを含む、方法。
【請求項４８】
無人航空機（ＵＡＶ）を組み立てるためのキットであって、
（ａ）前記ＵＡＶおよび／または前記ＵＡＶの１つ以上の回転子羽根の動作を制御するように適合された１つ以上の電気部品と、
（ｂ）前記ＵＡＶのユーザが（ａ）の部品（複数可）を磁力計とともに組み立てるための情報を含む説明書と、を備え、これにより前記ＵＡＶが組み立てられると、前記ＵＡＶが、
（１）（ｉ）空洞を形成する外側表面および内側表面を備え、前記空洞の内側に前記１つ以上の電気部品が配置される筐体、および（ｉｉ）前記磁力計が前記筐体の外部に置かれること、または
（２）（ｉ）空洞を形成する外側表面および内側表面を備え、前記空洞の内側に前記１つ以上の電気部品が配置される筐体、および（ｉｉ）前記磁力計が前記１つ以上の電気部品から少なくとも３ｃｍ離れて置かれること、または
（３）（ｉ）前記１つ以上の電気部品が、前記ＵＡＶおよび／または前記ＵＡＶの１つ以上の回転子羽根の動作を制御するように適合され、（ｉｉ）磁力計が、前記１つ以上の電気部品から少なくとも３ｃｍ離れ、かつ最大で０．５ｍ離れて置かれることを含むことを特徴とする、キット。
【請求項４９】
無人航空機（ＵＡＶ）を組み立てるためのキットであって、
（ａ）磁力計と、
（ｂ）前記ＵＡＶのユーザが前記ＵＡＶの動作を制御するように適合された１つ以上の電気部品とともに前記磁力計を組み立てるための情報を含む説明書と、を備え、これにより前記ＵＡＶが組み立てられると、前記ＵＡＶが、
（１）（ｉ）空洞を形成する外側表面および内側表面を備え、前記空洞の内側に前記１つ以上の電気部品が配置される筐体、および（ｉｉ）前記磁力計が前記筐体の外部に置かれること、または
（２）（ｉ）空洞を形成する外側表面および内側表面を備え、前記空洞の内側に前記１つ以上の電気部品が配置される筐体、および（ｉｉ）前記磁力計が１つ以上の電気部品から少なくとも３ｃｍ離れて置かれること、または
（３）（ｉ）前記１つ以上の電気部品が、前記ＵＡＶおよび／または前記ＵＡＶの１つ以上の回転子羽根の動作を制御するように適合され、（ｉｉ）磁力計が、前記１つ以上の電気部品から少なくとも３ｃｍ離れ、かつ最大で０．５ｍ離れて置かれることを備えることを特徴とする、キット。
【請求項５０】
無人航空機（ＵＡＶ）を組み立てるためのキットであって、
（ａ）空洞を形成する外側表面および内側表面を備える筐体と、
（ｂ）前記空洞の内側に配置され、かつ前記ＵＡＶの動作を制御するように適合された１つ以上の事前構成済み電気部品と、
（ｃ）磁力計であって、前記磁力計の動作が前記１つ以上の電気部品によって惹起される干渉を受けやすい、磁力計と、
（ｄ）前記ＵＡＶを組み立てるための説明書と、を備え、これにより前記ＵＡＶが前記説明書に従って組み立てられると、前記組み立てられたＵＡＶが、
（１）前記磁力計が前記筐体の外側に置かれること、または
（２）前記磁力計が、前記１つ以上の電気部品から少なくとも３ｃｍ離れて置かれること、または
（３）前記磁力計が、前記１つ以上の電気部品から最大で０．５ｍ離れて置かれること、を特徴とする、キット。
【請求項５１】
空洞を形成する外側表面および内側表面を備える筐体を更に備え、前記１つ以上の電気部品が前記空洞の内側に置かれる、請求項４８に記載のキット。
【請求項５２】
空洞を形成する外側表面および内側表面を備える筐体を更に備え、前記磁力計が前記空洞の内側に置かれる、請求項４９に記載のキット。
【請求項５３】
前記筐体に取り付け可能な延長部材を更に備え、前記組み立てられたＵＡＶが、前記延長部材が前記筐体の前記外側表面に取り付けられ、かつ前記空洞から離れて延長し、前記磁力計が、前記延長部材上に置かれることを更に特徴とする、請求項５０、５１、または５２に記載のキット。
【請求項５４】
無人航空機（ＵＡＶ）を組み立てる方法であって、
前記ＵＡＶおよび／または前記ＵＡＶの１つ以上の回転子羽根の動作を制御するように適合された１つ以上の電気部品を備えるキットの中に提供された説明書に従い、これにより前記ＵＡＶを組み立てることを含み、前記ＵＡＶが組み立てられると、前記ＵＡＶが、
（１）（ｉ）空洞を形成する外側表面および内側表面を備え、前記空洞の内側に前記１つ以上の電気部品が配置される筐体、および（ｉｉ）前記磁力計が前記筐体の外部に置かれること、または
（２）（ｉ）空洞を形成する外側表面および内側表面を備え、前記空洞の内側に前記１つ以上の電気部品が配置される筐体、および（ｉｉ）前記磁力計が前記１つ以上の電気部品から少なくとも約３ｃｍ離れて置かれること、または
（３）（ｉ）前記１つ以上の電気部品が、前記ＵＡＶおよび／または前記ＵＡＶの１つ以上の回転子羽根の動作を制御するように適合され、（ｉｉ）磁力計が、前記１つ以上の電気部品から少なくとも３ｃｍ離れ、かつ最大で０．５ｍ離れて置かれることを含むことを特徴とする、方法。
【請求項５５】
無人航空機（ＵＡＶ）を組み立てる方法であって、
磁力計を含むキットの中に提供された説明書に従って、前記磁力計を前記ＵＡＶに組み込み、これにより前記ＵＡＶを組み立てることを含み、前記ＵＡＶが組み立てられると、前記ＵＡＶが、
（１）（ｉ）空洞を形成する外側表面および内側表面を備え、前記空洞の内側に前記１つ以上の電気部品が配置される筐体、および（ｉｉ）前記磁力計が前記筐体の外部に置かれること、または
（２）（ｉ）空洞を形成する外側表面および内側表面を備え、前記空洞の内側に前記１つ以上の電気部品が配置される筐体、および（ｉｉ）前記磁力計が前記１つ以上の電気部品から少なくとも３ｃｍ離れて置かれること、または
（３）（ｉ）前記１つ以上の電気部品が、前記ＵＡＶおよび／または前記ＵＡＶの１つ以上の回転子羽根の動作を制御するように適合され、（ｉｉ）磁力計が、前記１つ以上の電気部品から少なくとも３ｃｍ離れ、かつ最大で０．５ｍ離れて置かれることを含むことを特徴とする、方法。
【請求項５６】
説明書に従う前記ステップが、１つ以上の回転子羽根を前記１つ以上の電気部品に接続することを含み、前記ステップが、前記磁力計を、前記磁力計が前記１つ以上の電気部品からの深刻な電磁干渉を経験しない、前記ＵＡＶ上の位置に置くことを更に含む、請求項５５または５６に記載の方法。
【発明の詳細な説明】
【技術分野】
【０００１】
相互参照
本出願は２０１２年１１月１５日に出願された中国出願第２０１２２０６０４３９６．７号、現在の中国特許第ＣＮ２０３１２７１４１号、ならびに２０１２年１２月１３日に出願された中国出願第２０１２２０６８６７３１．２号、現在の中国特許第ＣＮ２０３０４７５３１号の恩典を主張するものである。双方の出願は、参照により本明細書に組み込まれる。
【背景技術】
【０００２】
近年、航空撮影もしくは監視、科学研究、地質調査、遠隔探査等の様々な分野で、無人航空機（ＵＡＶ）が広く用いられている。一般的に、ＵＡＶは、ＵＡＶの動作の様々な態様を制御するために用いられる様々な電気部品を機上に担持する。同時に、ＵＡＶは、時として、航行、監視、または遠隔探査という目的のために１つ以上のセンサーを担持することを必要としさえする。しかしながら、このようなセンサーの一部の動作は、電気部品からの干渉によって影響を受け、これによりこのようなＵＡＶの信頼性を減少させ得る。
【０００３】
更にそのうえ、組み立て、構成、または校正は一般的には、ＵＡＶが適切に機能するためには必要である。このような組み立て、構成、または校正が訓練されていないユーザによって実施されるとき、ユーザの間違った構成または組立が、ＵＡＶの誤動作または損傷を引き起こしかねない。したがって、上記の問題に対処することによって信頼性の向上したＵＡＶに対する必要性が存在する。
【発明の概要】
【課題を解決するための手段】
【０００４】
向上した無人航空機（ＵＡＶ）を提供するための方法および装置が、提供される。本発明のある態様による、無人航空機（ＵＡＶ）が提供される。ＵＡＶは、空洞を形成する外側表面および内側表面を備える筐体と、空洞の内側に配置され、かつＵＡＶの動作を制御するように適合された１つ以上の電気部品と、筐体の外側に置かれたセンサーであって、その動作が、１つ以上の電気部品によって惹起される干渉を受けやすい、センサーと、を備える。
【０００５】
本発明の別の態様による、無人航空機（ＵＡＶ）が提供される。ＵＡＶは、ユーザによる該ＵＡＶの使用に先立って製造業者によって事前構成された１つ以上の事前構成済み電気部品であって、少なくとも飛行制御モジュールもしくは電子速度制御（ＥＳＣ）モジュールを含む、１つ以上の電気部品と、該１つ以上の事前構成済み電気部品から離れた位置で、該ＵＡＶ上に置かれるセンサーであって、その動作が、これらの１つ以上の事前構成済み電気部品によって惹起される干渉を受けやすい、センサーと、を備える。
【０００６】
本発明の別の態様による、無人航空機（ＵＡＶ）が提供される。ＵＡＶは、このＵＡＶの動作を制御するように適合された１つ以上の電気部品と、１つ以上の電気部品から離れるように延長する延長部材上に置かれ、その動作が１つ以上の電気部品によって惹起される干渉を受けやすいセンサーと、を備える。
【０００７】
本発明の別の態様による、無人航空機（ＵＡＶ）が提供される。ＵＡＶは、このＵＡＶの動作を制御するように適合された１つ以上の電気部品と、１つ以上の電気部品から少なくとも３ｃｍ離れ、かつ最大で０．５ｍ離れて置かれるセンサーであって、その動作が１つ以上の電気部品によって惹起される干渉を受けやすい、センサーと、を備える。
【０００８】
本発明の別の態様による、無人航空機（ＵＡＶ）が提供される。ＵＡＶは、このＵＡＶの動作を制御するように適合された１つ以上の電気部品であって、ＧＰＳ受信機を含む１つ以上の電気部品と、このＵＡＶ上の、１つ以上の電気部品から離れた位置に置かれる少なくとも磁力計であって、その動作が１つ以上の電気部品によって惹起される干渉を受けやすい、磁力計を含む、センサーと、を備える。
【０００９】
一部の実施形態では、このセンサーが、筐体から、かつ空洞から離れて延長する延長部材の上に置かれる。この延長部材は、飛行中でないときのＵＡＶの重量を、全体的にまたは部分的に支持するように適合された支持部材を含む。この支持部材は、着陸スタンドを含むことが可能である。代替的には、センサーは、筐体の外側表面上に直接に置くことが可能である。ＵＡＶは、１つ以上の回転子を備えることが可能であり、センサーを１つ以上の回転子の下に置くことが可能である。
【００１０】
一部の実施形態では、センサーと１つ以上の電気部品との間の最小距離は、少なくとも約３センチメートルである。一部の実施形態では、センサーと１つ以上の電気部品との間の最大距離は、最大で０．５メートルである。
【００１１】
一部の実施形態では、電気部品のうちの少なくとも１つは、ＵＡＶの製造業者によって事前構成される。この少なくとも１つの事前構成済み電気部品を用いて、ＵＡＶの動作を制御するのに必要でかつ十分な電気ユニットを形成することが可能である。この電気ユニットは、飛行制御モジュール、ＧＰＳ受信機、または電子速度制御（ＥＳＣ）モジュールのうちの少なくとも１つを含むことが可能である。
【００１２】
一部の実施形態では、センサーは、磁場を測定するように適合される。センサーは、磁力計を含むことが可能である。磁力計は、羅針盤を含むことが可能である。一部の実施形態では、干渉は、磁気干渉または電磁干渉を含むことが可能である。一部の実施形態では、１つ以上の電気部品は、ＧＰＳ受信機または、回転子羽根およびこの回転子羽根を起動するように構成されたアクチュエータを含むアクチュエータアセンブリを含むことが可能である。一部の実施形態では、１つ以上の電気部品は、少なくとも３つのアクチュエータアセンブリを含む。
【００１３】
一部の実施形態では、筐体は、導電性の遮蔽材料を含む。筐体は、空洞を形成するように取り外し可能に連結される上部筐体部材および下部筐体部材を含むことが可能である。筐体は、１つ以上の分岐筐体部材に接続される中心筐体部材を含むことが可能であり、この中心筐体部材が中心空洞を形成し、１つ以上の分岐筐体部材が、対応する１つ以上の分岐空洞を形成する。一部の実施形態では、１つ以上の電気部品のうちの少なくとも１つが、中心空洞の内側に置かれる。中心空洞の内側に置かれる少なくとも１つの電気部品が、電源、飛行制御モジュール、慣性測定ユニット（ＩＭＵ）、またはＧＰＳ受信機のうちの少なくとも１つを含むことが可能である。一部の実施形態では、１つ以上の電気部品のうちの少なくとも１つが、１つ以上の分岐空洞のうちの１つの内側に置かれる。この１つ以上の分岐空洞のうちの１つの内側に置かれる少なくとも１つの電気部品は、電子速度制御（ＥＳＣ）モジュールまたはアクチュエータを含むことが可能である。一部の実施形態では、１つ以上の分岐筐体部材が、ＵＡＶの１つ以上の回転子にそれぞれ対応する。１つ以上の分岐筐体部材のうちの少なくとも１つが、中心筐体部材に取り外し可能に接続されることが可能である。
【００１４】
本発明の別の態様による、無人航空機（ＵＡＶ）の１つ以上の電気部品からの干渉を受けやすいセンサーによって経験される干渉を減少させる方法が提供される。この方法は、ここに説明するＵＡＶを提供し、これにより上記の干渉を減少させることを含む。
【００１５】
本発明の別の態様による、無人航空機（ＵＡＶ）を組み立てるためのキットが提供される。このキットは、（ａ）ＵＡＶの動作を制御するように適合された１つ以上の電気部品および／またはＵＡＶの１つ以上の回転子羽根と、（ｂ）ＵＡＶのユーザが（ａ）の部品を磁力計と一緒に組み立てるための情報を含む説明書とを備え、これによりＵＡＶが組み立てられるときに、ＵＡＶが、これが（１）（ｉ）空洞を形成する外側表面および内側表面を含み、この空洞の内側に１つ以上の電気部品が配置される筐体と、（ｉｉ）磁力計が筐体の外側に配置され、または（２）（ｉ）空洞を形成する外側表面および内側表面を含み、この空洞の内側に１つ以上の電気部品が配置される筐体と、（ｉｉ）磁力計が、１つ以上の電気部品から少なくとも３ｃｍ離れて置かれる、または（３）（ｉ）ＵＡＶの動作を制御するように適合された１つ以上の電気部品、および／またはＵＡＶの１つ以上の回転子羽根、および（ｉｉ）１つ以上の電気部品から少なくとも３ｃｍ離れ、かつ最大で０．５ｍ離れて置かれる磁力計と、を備えることを特徴とする。
【００１６】
本発明の別の態様による、無人航空機を組み立てるためのキットが提供される。キットは、（ａ）磁力計および（ｂ）ＵＡＶのユーザが、ＵＡＶの動作を制御するように適合された１つ以上の電気部品と一緒に該磁力計を組み立てるための情報を含む説明書を備え、これにより、ＵＡＶが組み立てられるときに、ＵＡＶが、これが（１）（ｉ）空洞を形成する外側表面および内側表面を含み、空洞の内側に１つ以上の電気部品が配置されている筐体と、（ｉｉ）磁力計が筐体の外側に置かれ、または（２）（ｉ）空洞を形成する外側表面および内側表面を含み、空洞の内側に１つ以上の電気部品が配置されている筐体と、（ｉｉ）磁力計が、１つ以上の電気部品から少なくとも３ｃｍ離れて置かれ、または（３）（ｉ）ＵＡＶの動作を制御するように適合された１つ以上の電気部品および／またはＵＡＶの１つ以上の回転子羽根および（ｉｉ）１つ以上の電気部品から少なくとも３ｃｍ離れ、かつ最大で０．５ｍ離れて置かれる磁力計を備えることを特徴とする。
【００１７】
本発明の別の態様による、無人航空機を組み立てるためのキットが提供される。キットは、（ａ）空洞を形成する外側表面および内側表面を備える筐体と、（ｂ）空洞の内側に配置され、かつＵＡＶの動作を制御するように適合された１つ以上の事前構成済み電気部品と、（ｃ）磁力計であって、その動作が１つ以上の電気部品によって惹起される干渉を受けやすい、磁力計と、（ｄ）ＵＡＶを組み立てるための説明書と、を備え、これにより、ＵＡＶが説明書に従って組み立てられるときに、組み立てられたＵＡＶが、（１）磁力計が筐体の外側に置かれる、または（２）磁力計が、１つ以上の電気部品から少なくとも３ｃｍ離れて置かれる、または（３）磁力計が、１つ以上の電気部品から最大で０．５ｍ離れて置かれる、ことを特徴とする。
【００１８】
一部の実施形態では、キットは、空洞を形成する外側表面および内側表面を備える筐体を更に備え、１つ以上の電気部品が、空洞の内側に置かれる。一部の実施形態では、キットは、空洞を形成する外側表面および内側表面を備える筐体を更に備え、磁力計が、空洞の内側に置かれる。
【００１９】
一部の実施形態では、キットは、筐体に取り付け可能な延長部材を更に備え、組み立てられたＵＡＶが、延長部材が筐体の外側表面に取り付けられ、かつ空洞から離れるように延長し、磁力計が延長部材の上に置かれることを特徴とする。
【００２０】
本発明の別の態様による、無人航空機（ＵＡＶ）を組み立てる方法が提供される。この方法は、ＵＡＶの動作を制御するように適合される１つ以上の電気部品および／またはＵＡＶの１つ以上の回転子羽根を含むキットの中に提供される説明書に従うことを備え、これによりＵＡＶを組み立てるが、ＵＡＶは、組み立てられると、これが（１）（ｉ）空洞を形成する外側表面および内側表面を含み、１つ以上の電気部品が空洞の内側に配置される筐体、および（ｉｉ）磁力計が筐体の外側に置かれる、または（２）（ｉ）空洞を形成する外側表面および内側表面を含み、１つ以上の電気部品が空洞の内側に配置される筐体、および（ｉｉ）磁力計が、１つ以上の電気部品から少なくとも約３ｃｍ離れる、または（３）（ｉ）ＵＡＶの動作を制御するように適合された１つ以上の電気部品および／またはＵＡＶの１つ以上の回転子羽根、（ｉｉ）１つ以上の電気部品から少なくとも３ｃｍ離れ、かつ最大で０．５ｍ離れて置かれた磁力計、を備えることを特徴とする。
【００２１】
本発明の別の態様による、無人航空機（ＵＡＶ）を組み立てる方法が提供される。この方法は、磁力計をＵＡＶ中に組み込み、これによりＵＡＶを組み立てるための、この磁力計を備えるキット中に提供される説明書に従うことを含み、ＵＡＶは、組み立てられると、これが、（１）（ｉ）空洞を形成する外側表面および内側表面を含み、１つ以上の電気部品が空洞の内側に配置される筐体、および（ｉｉ）磁力計が、筐体の外側に置かれる、または（２）（ｉ）空洞を形成する外側表面および内側表面を含み、１つ以上の電気部品が空洞の内側に配置される筐体、および（ｉｉ）磁力計が１つ以上の電気部品から少なくとも３ｃｍ離れて置かれる、または（３）（ｉ）ＵＡＶの動作を制御するように適合された１つ以上の電気部品および／またはＵＡＶの１つ以上の回転子羽根、（ｉｉ）１つ以上の電気部品から少なくとも３ｃｍ離れ、かつ最大で０．５ｍ離れて置かれる磁力計を備えることを特徴とする。
【００２２】
一部の実施形態では、説明書に従うステップは、１つ以上の回転子羽根を１つ以上の電気部品に接続するステップを含み、このステップは、磁力計を、磁力計が１つ以上の電気部品からの深刻な電磁干渉を経験しない、ＵＡＶ上の位置に置くステップを更に含む。
（参照による組み込み）
【００２３】
本明細書に記載される全ての刊行物、特許および特許出願は、各個別の刊行物、特許、または特許出願が、明確かつ個別に参照により組み込まれることが示されているのと同程度に、参照により本明細書に組み込まれる。
【図面の簡単な説明】
【００２４】
本発明の新規な特徴を、添付クレームに詳細に記述する。本発明の特徴および長所のより良い理解は、本発明の原理が利用され、その添付図面を以下に示す解説的な実施形態を記述する以下の詳細な説明を参照すれば得られるであろう。
【図１】は、ある実施形態に係わる、回転子羽根のない多重回転子無人航空機（ＵＡＶ）を示す。
【図２】は、ある実施形態に係わる、内部の部品を示すために筐体の頂部部分なしの図１の多重回転子ＵＡＶの上面図を示す。
【図３】は、ある実施形態に係わる、図１の多重回転子ＵＡＶの別の図を示す。
【図４】は、ある実施形態に係わる、多重回転子ＵＡＶの支持部材を示す。
【図５】は、ある実施形態に係わる、センサーを取り付けるための延長部材を持つＵＡＶを示す。
【図６ａ】は、一部の実施形態に係わる、センサーを取り付けるための延長部材を持つＵＡＶを示す。
【図６ｂ】は、一部の実施形態に係わる、センサーを取り付けるための延長部材を持つＵＡＶを示す。
【図６ｃ】は、一部の実施形態に係わる、センサーを取り付けるための延長部材を持つＵＡＶを示す。
【図７ａ】は、一部の実施形態に係わる、センサーがＵＡＶ本体の内側または外側の表面上に置かれる例示のＵＡＶを示す。
【図７ｂ】は、一部の実施形態に係わる、センサーがＵＡＶ本体の内側または外側の表面上に置かれる例示のＵＡＶを示す。
【図７ｃ】は、一部の実施形態に係わる、センサーがＵＡＶ本体の内側または外側の表面上に置かれる例示のＵＡＶを示す。
【図８ａ】は、一部の実施形態に係わる、センサーがＵＡＶの本体の内側または外側の表面上に置かれるより多くの例を示す。
【図８ｂ】は、一部の実施形態に係わる、センサーがＵＡＶの本体の内側または外側の表面上に置かれるより多くの例を示す。
【発明を実施するための形態】
【００２５】
本発明は、無人航空機（ＵＡＶ）の信頼性を向上させる方法および装置を提供する。本発明のある態様により、ある機上のセンサーが体験する干渉が減少する。このような干渉は、機上の電気部品によって惹起されかねない。この干渉には、電磁干渉、磁気干渉等が含まれる。このような干渉を動作が受けやすいまたはこれに敏感な機上センサーは、磁力計、羅針盤等の、磁場を測定するように適合されたセンサーであり得る。このような「干渉を受けやすい」センサーによって経験される干渉を減少させるには、干渉を生成する電気部品を、ＵＡＶの本体の内部表面によって形成されるＵＡＶの空洞の内部に位置付けすればよい。１つ以上の干渉を受けやすいセンサーを、空洞の外側に位置付けすることが可能である。一部の実施形態では、センサーは、ＵＡＶの延長部材上に置くことが可能である。延長部材は、着陸スタンドなどの、ＵＡＶの支持部材を含むことが可能である。一部の実施形態では、センサーは、ＵＡＶ本体の外側または内側の表面に直接に、しかし電気部品から離れて置くことが可能である。長所として、干渉を生成する電気部品と干渉を受けやすいセンサーとを離すことによって、センサーが経験する干渉が減少し、これによりセンサーおよびＵＡＶの信頼性が向上する。
【００２６】
本発明の別に態様によれば、ＵＡＶの信頼性は、ユーザによって惹起された、部品の間違い構成または間違い組み立てを減少させることによって、更に向上させることが可能である。電気部品の一部または全部は、ＵＡＶの製造業者によって事前構成、事前接続、または別の仕方で事前搭載されることが可能である。したがって、ＵＡＶが適切に機能するために、ユーザが組み立てたり、構成したりする必要性はほとんどないまたは全くない。加えて、部品は経験のある作業者によって事前構成されるため、間違い構成の可能性が更に減少する。
【００２７】
様々な実施形態では、ここに説明するＵＡＶは、様々なタイプ、サイズ、形状、および構成のＵＡＶを含み得る。例えば、ＵＡＶは、ヘリコプター、クワドコプター、ヘキサコプター、オクトコプター等の多重回転子航空機を含み得る。更にそのうえ、ここに説明するＵＡＶは、遠隔探査、航空監視、石油、ガス、および鉱物の探査および生成、輸送、科学研究、航空撮影もしくはビデオ撮影、地図作成、災害報告、研究および救助、地図作成、送電線巡回等の広い範囲の応用分野で用いられ得る。
【００２８】
様々な実施形態において、ＵＡＶは、機上のコントローラもしくはプロセッサによって自律的に制御されたり、遠隔のデバイス（例えば、地上局もしくは手持ち式遠隔制御デバイス）によって遠隔制御されたり、または双方によって連帯して制御され得る。一部の実施形態では、ＵＡＶは、担体を介して、カメラまたはビデオカメラなどの荷重デバイスを担持するように構成され得る。この荷重デバイスは、周囲の環境の画像をキャプチャしたり、標本を収集したり、または他の業務を実施するために用いられ得る。
【００２９】
ここで用いられる、「上側の」、「下側の」、「垂直な」、「水平な」、および他の類似の位置指示用語は、自らの通常動作モードにあるＵＡＶを参照して用いられており、制限的であると考えられるべきではない。記述全体にわたって、クワドコプター（４つの回転子を持つヘリコプター）が、単に解説目的で、ＵＡＶとして用いられている。ここに記載する技法は、ヘキサコプターまたはオクトコプターなどの他のタイプのＵＡＶに対して用いることが可能であることが理解される。
【００３０】
図１に、ある実施形態に係わる、回転子羽根なしの多重回転子無人航空機（ＵＡＶ）を図示する。図示するように、ＵＡＶは、外側表面および内側表面を備える中空の本体部分１０を備える。本書で用いられる「本体」という用語は、「筐体」と交換可能に用いられる。本体部分の内側表面は、本体部分内部の空洞（図２で１３として示される）を取り囲んでいる。図２に関連してより詳述するように、ＵＡＶの動作の様々な態様を制御するように適合される１つ以上の電気部品は、空洞内部に配置され得る。本書で用いられる「電気部品」という用語は、電気を提供したり、用いたり、または伝達したりするいずれかの部品のことである。このような電気部品は、エネルギー源（例えばバッテリ）、飛行制御モジュールもしくは航行モジュール、ＧＰＳモジュール（例えば、ＧＰＳ受信機もしくは送受信機）、慣性測定ユニット（ＩＭＵ）モジュール、通信モジュール（例えば、無線送受信機）、アクチュエータ（例えば、電気モーター）を制御するように適合された電気速度制御（ＥＳＣ）モジュール、ＵＡＶの回転子羽根もしくは回転子翼を起動するために用いられる電気モーターなどのアクチュエータ（複数可）、電気配線およびコネクタ等を含むことが可能である。一部の実施形態では、電気部品の一部は、回路基板または回路モジュールなどの集積された電気ユニット上に置かれ得る。１つ以上の電気ユニットが空洞内部に位置付けされ得る。ここに説明する電気部品は、使用中に、ＵＡＶの他の部品（例えば、磁力計）に対して干渉（例えば、電磁干渉）を惹起し得る。一部の実施形態では、干渉は、鉄鋼材または磁性の静止型電源によって惹起され得る。例えば、電気部品は、磁場を生成し、これにより磁気干渉を惹起する磁石を備え得る。
【００３１】
図１に示すように、ＵＡＶの本体部分１０は、中心筐体部材１１および１つ以上の分岐筐体部材１２を備える。中心筐体部材の内側表面は、中心空洞（図２で１１３として示す）を形成することが可能である。分岐筐体部材１２の各々は、中空のアームまたは任意の他の適切な形状をしており、分岐空洞（図２で１２３として示す）を形成することが可能である。中心筐体部材が１つ以上の分岐筐体部材に接続されるとき、中心空洞および１つ以上の分岐空洞は、一緒になって、１つの一体化された空洞（図２で１３として示す）を形成することが可能である。
【００３２】
分岐筐体部材１２は、「Ｘ」形状または星形状の配置で中心筐体部材１１に接続することが可能である。具体的には、中心筐体部材１１は、Ｘ形状または星形状の配置の中心に置くことが可能であるが、分岐筐体部材１２は、対称的または非対称的に、中心筐体部材１１を中心として分散させることが可能である。一部の実施形態では、このような星形状配置は、中心に置かれた飛行制御モジュールとそれぞれの分岐空洞中に置かれた個々のＥＳＣモジュールとの間や中心に置かれたエネルギー源（例えば、バッテリ）と多重回転子ＵＡＶの回転子を駆動するために用いられるアクチュエータ（例えば、電気モーター）との間など、筐体の空洞内部に配置された電気部品同士間での効率的な電気接続を容易化することが可能である。ＵＡＶの筐体および／または筐体内部の空洞が、ここに述べる星形状以外の形状を有する実施形態もある。例えば、筐体および／または筐体内部の空洞は、実質的な球形、楕円形、もしくは円筒形、または他のいずれかの形状を有することが可能である。
【００３３】
一般的な実施形態では、分岐筐体部材１２の数は、ＵＡＶの回転子またはアクチュエータアセンブリの数に等しい。アクチュエータアセンブリ（図２では２として示す）は、回転子翼または回転子羽根（図２では２１として示す）ならびに、回転子羽根を起動するために用いられるアクチュエータ（図２では２２として示す）を含むことが可能である。例えば、図１に示すような４回転子クワドコプターは、各々が４つの回転子またはアクチュエータアセンブリのうちの１つに対応する４つの分岐筐体部材１２を有し得る。図示する実施形態では、ＵＡＶは、各々が１つのアクチュエータアセンブリ２に対応する４つの分岐を有する。すなわち、ＵＡＶは４つのアクチュエータアセンブリ２を有する。様々な実施形態では、分岐および／またはその配置の数は、ここに図示するそれとは異なり得る。例えば、一部の実施形態では、ここに図示するより多くのまたは少ない分岐筐体部材および／または回転子もしくはアクチュエータアセンブリがあり得る。例えば、６回転子ＵＡＶは、６個の回転子もしくはアクチュエータアセンブリおよび６個の対応する分岐筐体部材を有し得る。８回転子ＵＡＶは、８個の回転子もしくはアクチュエータアセンブリおよび８個の対応する筐体部材を有し得る。代替の実施形態では、分岐筐体部材の数は、ＵＡＶの回転子もしくはアクチュエータアセンブリの数に対応しないことがあり得る。例えば、アクチュエータアセンブリより多いまたは少ない分岐筐体部材が存在し得る。様々な実施形態では、分岐、アクチュエータアセンブリ、およびアクチュエータの数は、実際の環境の要件に従って調整することが可能である。動作中でのＵＡＶの安定性を保証するために、一般的な多重回転子ＵＡＶは、３つもの回転子を有する。
【００３４】
一部の実施形態では、分岐筐体部材１２は、中心筐体部材１１に取り外し可能に連結することが可能である。例えば、各々の分岐筐体部材１２は、分岐筐体部材１２全体を回転させることによって、中心筐体部材１１に接続するおよび／またはこれから切断することが可能である。一部の実施形態では、分岐筐体部材１２は、例えば、ＵＡＶの保管および／または輸送を容易化するために、中心筐体部材１１に対して折りたたむことが可能であり得る。このような実施形態では、分岐筐体部材１２は、折りたたまれた位置から展開するおよび／または、ＵＡＶをまた使用するために中心筐体部材に再接続することが可能である。
【００３５】
一部の実施形態では、中心筐体部材１１は、一緒に中心空洞（図２では１１３として示す）を形成する上部中心筐体部材１１１および対応する下部中心筐体部材１１２を含むことが可能である。分岐筐体部材１２の各々は、一緒に分岐空洞（図２では１２３として示す）を形成する上部分岐筐体部材１２１および対応する下部分岐筐体部材１２２を含むことが可能である。分岐筐体部材１２の上部分岐筐体部材１２１は、アクチュエータアセンブリ（図２では２として示す）のアクチュエータ２２を搭載するためのスロットまたは開口部などの取り付けまたは位置付け構造体１２０となり得る。
【００３６】
一部の実施形態では、上部分岐筐体部材１２１および上部中心筐体部材１１１は、上部本体部分１５を形成し、下部分岐筐体部材１２２および下部中心筐体部材１１２は、下部本体部分（図３では１６として示す）を形成する。本体部分１０は、上部本体部分１５および下部本体部分１６の組み合わせと考えることが可能である。一部の実施形態では、上部本体部分１５および下部本体部分１５は、本体部分１０を形成するように取り外し可能に連結され得る。例えば、本体部分１０の組み立て中、上部本体部分および下部本体部分は、ネジ、ボルト、バックル、クランプ、クラスプ、ラッチ、フック、爪、ピン、ストラップ、ケーブル等の留め具によって取り外し可能に連結され得る。このような取り外し可能連結は、ＵＡＶの保守を容易化するために用いることが可能である。保守が必要とされるとき、上部本体部分は下部本体部分から切り離して、本体部分の内部部品の直接的な観察および保守を許容することが可能である。別の実施形態では、上部本体部分および下部本体部分は、溶接したりまたは別の仕方で永久的に一緒に保持したりし得る。
【００３７】
様々な実施形態では、ＵＡＶの筐体を形成する個々の部品またはこれらの組み合わせは、射出成形、加法的製造（３Ｄ印刷）技法などのいずかの適切な技法を用いて、製造することが可能である。例えば、上部中心筐体部材、下部中心筐体部材、上部分岐筐体部材、および下部分岐筐体部材の各々は、個々に製造して溶接し、固定または別の仕方で組み合わせて、全体的な筐体を形成することが可能である。他の例として、１つ以上の上部分岐筐体部材および上部中心筐体部材は、１つの部分として一体的に製造する（すなわち、上部本体部分を形成する）ことが可能であるが、１つ以上の下部分岐筐体部材および下部中心筐体部材は、別の全体的な部分として一体的に製造する（すなわち、下部本体部分を形成する）ことが可能である。次に、これら２つの一体製造された部分を（溶接、留め具などによって）組み合わせて、ＵＡＶの本体部分を形成することが可能である。更に別の例のように、上部中心筐体部材および下部中心筐体部材は、１つの部分として一体的に製造する（すなわち、中心筐体部材を形成する）ことが可能であり、分岐筐体部材、上部分岐筐体部材、および下部分岐筐体部材の各々は、１つの部分として一体的に製造する（すなわち、分岐筐体部材を形成する）ことが可能である。中心筐体部材および分岐筐体部材は次に、溶接、留め具等によって組み合わされる。更に別の例として、ＵＡＶの筐体全体を、例えば、射出形成または加算的製造技法を用いて、一体的に製造することが可能である。
【００３８】
図１に示すように、ＵＡＶは、本体部分１０に取り付けられるまたは取り付け可能な１つ以上の支持部材４をオプションとして含むことが可能である。支持部材４は、ＵＡＶが飛行中でないときに、ＵＡＶの重量を全体的にまたは部分的に支持するために用いられ得る。支持部材の例は、ＵＡＶの着陸を容易化するために提供される着陸スタンドを含むことが可能である。ここで説明されるように、このような支持部材はまた、ＵＡＶの電気部品の干渉を受けやすいセンサーを支持するために用いることが可能である。
【００３９】
一部の実施形態では、ＵＡＶは、ここに説明する電気部品のうちの一部のような、ＵＡＶの部品のうちの一部または全部を収容するための１つ以上の受容構造体を含む。このような受容構造体は、筐体に連結され、かつ筐体の一体部分となり得る。受容構造体は、本体部分の外部表面上にまたは空洞の内部に位置付けされ得る。例として、受容構造体は、本体部分の内側または外側の表面の構造体によって形成され得る。ある実施形態では、受容構造体は、主空洞の他に更なる受容空洞を形成し得る。別の実施形態では、受容構造体は、主空洞の内側表面上の内部構造体によって形成され得る。ある実施形態では、受容構造体は、空洞内部にすべてが置かれる。別の実施形態では、受容構造体の一部は空洞の外部に置かれる。受容構造体は、ＵＡＶの様々な部品を収容するためにスロット、グリッド、筐体、または他の類似の構造体を含み得る。例えば、受容構造体は、回路モジュール、バッテリ、ＥＳＣモジュール等を収容するために用いることが可能なＵＡＶの本体によって形成される空洞の内部表面上のスロットを含み得る。一部の実施形態では、ＵＡＶは、ＵＡＶの筐体によって形成される空洞以外にはなんら更なる受容構造体を含まないことがあり得る。一部の実施形態では、電気部品の一部または全部が、受容構造体を用いることなく、ＵＡＶに対して直接的に取り付けまたは連結され得る。
【００４０】
本体部分および／または受容構造体は、部品を自身のところにまたは自身のところから位置付けするおよび／または回収するための開口部を含むことが可能である。例えば、このような開口部は、ユーザが、本体部分の空洞または充電しかつ充電後にバッテリを元のところに戻すための受容構造体からバッテリを回収することを可能とし得る。開口部は、本体部分に蝶番で連結される対応するフラップまたはカバー部材をオプションとして有し得る。クラスプ、バックル、ストラップ等のこのカバーは、内部に置かれた部品を固定するために閉じられ得る。
【００４１】
図２に、ある実施形態に係わる、内部の部品を示すために筐体の頂部部分なしで、図１の多重回転子ＵＡＶの上面図を示す。既に説明したように、磁力計（羅針盤）などの干渉を受けやすいまたは干渉を受けやすいセンサーでの干渉を回避または軽減するには、ＵＡＶの１つ以上の干渉生成電気部品を、干渉を受けやすいセンサーから分離して置けばよい。ある実施形態では、電気部品は、図１に関連して説明したようにＵＡＶの筐体の内側表面によって形成される空洞１３の内側に配置され、センサーは、筐体の外側に配置される。加えて、筐体は、電気部品に対して保護を提供し、かつＵＡＶの強度および剛性を増し、これにより、輸送および保管に良好に適合されるようになる。別の実施形態では、センサーはまた、筐体の内部に、しかし電気部品から離れて置かれる。
【００４２】
ここで用いられる「電気部品」という用語は、電気を提供する、用いる、または伝達するいずれかの部品のことである。様々な実施形態では、１つ以上の電気部品が、ＵＡＶの動作の様々な態様を制御するように適合され得る。このような電気部品は、エネルギー源（例えばバッテリ）、飛行制御モジュールもしくは航行モジュール、ＧＰＳモジュール（例えば、ＧＰＳ受信機もしくは送受信機）、慣性測定ユニット（ＩＭＵ）モジュール、通信モジュール（例えば、無線送受信機）、アクチュエータ（例えば、電気モーター）を制御するように適合された電気速度制御（ＥＳＣ）モジュール、ＵＡＶの回転子羽根もしくは回転子翼を起動するために用いられる電気モーターなどのアクチュエータ、（電気配線およびコネクタなどの）電気部品を電気的に接続するように構成された接続部材等を含むことが可能である。様々な実施形態では、ＵＡＶの電気部品の一部または全部は、筐体の内部に置かれ得る。
【００４３】
一部の実施形態では、上述の電気部品のうちの一部は、１つ以上の回路モジュール３の上に置かれ得る。各々の回路モジュールは、１つ以上の電気部品を含むことが可能である。例えば、図２に示すように、電気モジュール３は、ＵＡＶの主要な動作を制御するために、（フィールドプログラマブルゲートアレイ（ＦＰＧＡ）によって実現されるような）１つ以上のプロセッサを含む主飛行制御モジュール３３を含むことが可能である。別の例として、同じまたは異なった回路モジュールはまた、速度、方位、および重力を測定するためにＩＭＵモジュールを含むことが可能である。ＩＭＵモジュールは、１つ以上の加速度計および／またはジャイロスコープを含むことが可能である。別の例として、同じまたは異なった回路モジュールはまた、遠隔の制御デバイスと遠隔通信するために通信モジュール３１を含むことが可能である。例えば、通信モジュールは、無線（例えば、ラジオ）送受信機を含むことが可能である。通信モジュール３１には、１つ以上のボタン３１１と、コードボタンから離間される対応する表示灯３１２とを装備することが可能である。これらのボタンおよび表示灯は、ＵＡＶと遠隔制御デバイスとの間の通信を容易化するために用いられ得る。例えば、ボタンは、ＵＡＶによって用いられる周波数チャネルを調整するために用いられ得るし、表示灯は、ＵＡＶと遠隔制御デバイスとの間の通信チャネルの確立の成功および／または失敗を示すために用いることが可能である。
【００４４】
飛行制御モジュール３３は一般的には、ＵＡＶの重要な部品または「頭脳」である。例えば、飛行制御モジュール３３は、ＵＡＶの現在の速度、方位、および／または位置を、視覚センサー（例えば、カメラ）、ＩＭＵ、ＧＰＳ受信機、および／または他のセンサーから得られるデータに基づいて推定し、経路計画を実施し、航行制御を実現するためのアクチュエータに制御信号を提供し、および類似したことを実施するように構成することが可能である。別の例として、飛行制御モジュールは、制御信号を発して、ＵＡＶの状態を、遠隔地から受信した制御信号に基づいて調整することが可能である。
【００４５】
一部の実施形態では、空洞の内部に置かれた電気部品は、ＧＰＳ受信機を含むことが可能である。従来、ＧＰＳ受信機は一般的には、磁力計と同一場所に置かれる。しかしながら、ＧＰＳ受信機および磁力計が他の電気部品に近接して置かれるとき、磁力計の動作は、他の電気部品からの干渉による影響を受けかねない。一部の実施形態では、磁力計の動作はまた、ＧＰＳ受信機からの干渉による影響を受けかねない。したがって、本発明のある好ましい実施形態では、ＧＰＳ受信機は、磁力計から離され、これにより、ＧＰＳ受信機がＵＡＶの筐体の内部に置かれ、磁力計が筐体の外部に置かれるようにする。代替の実施形態では、ＧＰＳ受信機および磁力計は双方ともが、筐体の内部または外部に置かれ得るが、ＧＰＳ受信機と磁力計との間には最小の距離が存在する。ある実施形態では、このような最小距離は、約３センチメートル（３ｃｍ）である。この最小距離が３ｃｍより小さいまたは大きいことが可能な実施形態もある。
【００４６】
一部の実施形態では、空洞内部に置かれる電気部品は、１つ以上の電子速度制御（ＥＳＣ）モジュール３４を含むことが可能である。ＥＳＣモジュールは、アクチュエータ２２の動作を制御するように適合されることが可能である。アクチュエータ２２は、アクチュエータアセンブリ２の一部であり、かつＵＡＶの回転子羽根または翼２１を起動するように構成することが可能である。一部の実施形態では、ＥＳＣモジュールは、一方では飛行制御モジュール３３に、他方ではアクチュエータ２２に電気的に接続されることが可能である。飛行制御モジュール３３は、ＥＳＣモジュール３４に対して制御信号を提供することが可能であり、次にＥＳＣモジュール３４が、電気的に接続されたアクチュエータ２２にアクチュエータ信号を提供し、これにより対応する回転子羽根２１を起動するようにする。一部の実施形態では、フィードバック信号もまた、アクチュエータ２２および／またはＥＳＣモジュール３４から飛行制御モジュール３３に提供されることが可能である。一般的な実施形態では、ＥＳＣモジュールの数は、ＵＡＶの回転子アクチュエータの数に等しい。例えば、４回転子ＵＡＶは、４つのＥＳＣモジュールを有する。代替の実施形態では、ＥＳＣの数は、回転子アクチュエータの数とは異なる（これより多いまたは少ない）。一部の実施形態では、ＥＳＣモジュールは、オプションであり得る。一部の実施形態では、ＥＳＣモジュールの代わりにまたはこれに加えて、他のタイプのアクチュエータ制御モジュールを、アクチュエータの動作を制御するために提供することが可能である。
【００４７】
一部の実施形態では、ＵＡＶはまた、ＵＡＶの様々な電気部品を電気的に連結するまたは接続するための１つ以上の接続部材を含む。このような接続部材は、部品同士間で電力、データ、または制御信号を伝達するために用いられる電線、ケーブル等を含むことが可能である。例えば、接続部材は、１）エネルギー源およびアクチュエータアセンブリ、２）回路モジュールおよびＥＳＣモジュール、３）ＥＳＣモジュールおよびアクチュエータ、４）通信モジュールおよび回路モジュール等を電気的に接続するために用いることが可能である。一部の実施形態では、接続部材は、接続部材を電気部品に対する差し込みおよび引き抜きを容易化するために、挿し込み可能コネクタを遠位の部分に有する。
【００４８】
図１に関連して上述したように、ＵＡＶの空洞は、いずれの適切な形状であっても良い。様々な実施形態では、様々な電気部品の位置は、ＵＡＶの設計およびレイアウトに基づいて決定することが可能である。ある好ましい実施形態では、ＵＡＶの空洞は、中心空洞１１３と、各々が個別のアクチュエータアセンブリ２に対応する複数の分岐空洞１２３とを含む。一部の実施形態では、電気部品の一部は、中心空洞の内部に置くことが可能であるが、分岐空洞中に置かれ得るものもある。電気部品の全てが、空洞の１つの部分（例えば、中心空洞または分岐空洞）中に置かれ得る実施形態もある。ある実施形態では、飛行制御モジュールおよびエネルギー源（例えば、バッテリ）などの重要な制御部品は、中心空洞に置くことが可能であるが、ＥＳＣモジュールおよびアクチュエータアセンブリなどの制御される部品は、それぞれの分岐空洞中に置かれる。このような配置は、中心に置かれた部品と、これらの中心に置かれた部品が電力および／または制御信号を提供する対象である部品との間での電気的接続の効率的なレイアウトを提供し、したがって、ＵＡＶの空間の最適化および最小化を容易化することが可能である。
【００４９】
ある実施形態では、ＥＳＣモジュール３４は、分岐筐体部材の内部で、かつアクチュエータの下に位置付けすることが可能である。例えば、ＥＳＣモジュール３４は、下部分岐筐体部材１２２の中で、かつ分岐空洞１２３の内部に置くことが可能である。ＥＳＣモジュール３４を分岐筐体部材１２３の内部に位置付けすることで、ＥＳＣモジュール３４とアクチュエータ２２との間の電気的連結を容易化することが可能である。代替の実施形態では、ＥＳＣモジュール３４のうちの少なくとも１つは、分岐空洞の代わりに中心空洞の内部に置くことが可能である。
【００５０】
一部の実施形態では、ＥＳＣモジュールによって制御されるアクチュエータアセンブリ２は、分岐空洞の内部に少なくとも部分的に置くことが可能である。アクチュエータアセンブリ２は、分岐筐体部材１２に接続されるアクチュエータ２２と、アクチュエータ２２に連結される回転子羽根２１とを含むことが可能である。図１に図示するように、アクチュエータ２２のある部分は、空洞から少なくとも部分的に延長して、回転子羽根または回転子翼（図２では２１として示される）と回転可能に連結する。例えば、アクチュエータは、回転子羽根２１に回転可能に取り付け可能な軸２２１を有することが可能である。アクチュエータ２２は、電気モーター、機械式アクチュエータ、油圧式アクチュエータ、空気圧式アクチュエータ等を含むことが可能である。電気モーターは、磁気モーター、静電モーター、または圧電モーターを含むことが可能である。例えば、ある実施形態では、アクチュエータは、ブラシレスＤＣ電気モーターを含む。アクチュエータアセンブリ２は、分岐筐体部材１２に固定的にまたは取り外し可能に連結することが可能である。一部の実施形態では、ＵＡＶは、動作中のＵＡＶの安定性を保証するために、少なくとも３つのアクチュエータアセンブリを有する。
【００５１】
一部の実施形態では、上述した電気部品の一部または全部は、ＵＡＶの製造業者によって、事前構成、事前組立、または事前接続される。このような実施形態では、ＵＡＶが動作するために、ユーザによる組立および／または校正は全くまたはほとんど必要とせず、これによりＵＡＶは箱から出してすぐに「飛行準備ができた」状態になる。部品のこのような事前構成は、必要とされる技術的専門性を下げることによってユーザの経験を高めるだけではなく、ユーザの間違い構成によって惹起される間違いまたは事故を減少させる。一部の実施形態では、このような事前構成されたまたは事前組立された部品は、飛行制御モジュール、ＧＰＳ受信機、ＥＳＣモジュール、もしくはここに説明した電気部品のうちのいずれかの、またはこれらのいずれかの組み合わせを含むことが可能である。一部の実施形態では、１つ以上の電気部品は、電気ユニット（例えば、回路モジュール）として、事前構成、事前接続、または事前組立される。電気ユニットは、ＵＡＶの動作を制御するためには必要でかつ十分である。一部の実施形態では、事前構成された部品がすぐに適切に動作するために必要とされる更なるユーザ構成は何もない。ある程度のユーザ構成または組立が必要とされ得る実施形態もある。
【００５２】
ある実施形態では、電気部品のうちの少なくとも２つが、ＵＡＶを使用可能となる以前に必要とされるユーザ組立を減少させるために、ＵＡＶの製造業者によって事前接続され得る。例えば、回路モジュールとＥＳＣモジュールとの間の電気接続は、製造業者によって事前接続され、これにより、ユーザは、ＵＡＶ購入後はこれら２つのモジュールを接続する必要はないようにされ得る。このような事前構成、事前接続、または事前組立はまた、ＵＡＶの設計を単純化することが可能である。例えば、接続部材の全てが、差込可能なコネクタとなる必要があるわけではなく、接続部材のうちの一部が、溶接することによって製造業者によって部品に事前接続し、これによりこのような接続の信頼性を向上させることが可能である。差込可能コネクタを用いる場合でさえも、このような接続を、工場組立中に機械工などの訓練された専門家によって適切に実施し、これにより、不完全接続および／または不良接続を軽減し、また更にＵＡＶの信頼性を向上させることが可能である。
【００５３】
図３は、ある実施形態に係わる、図１〜２の多重回転子ＵＡＶの別の図を示す。図示されたＵＡＶは、図２に関連して述べたようなＵＡＶの１つ以上の電気部品によって惹起されるセンサーによって経験される干渉を軽減するための、干渉を受けやすいセンサー７（例えば、磁力計）のＵＡＶの本体部分の外側に対する位置付けを示す。
【００５４】
様々な実施形態では、干渉を受けやすいセンサー７は、その動作が機上の電気部分によって惹起される干渉を受けやすいセンサーを含む。干渉は、電磁干渉または磁気干渉を含み得る。干渉は、電気部品中の電流または磁石によって惹起され得る。干渉を受けやすいセンサー７は、磁力計を含むことが可能である。磁力計は、スカラー磁力計および／またはベクトル磁力計を含み得る。ある実施形態では、磁力計は羅針盤を含む。ある好ましい実施形態では、干渉を受けやすいセンサー７は、磁力計を含むが、ＧＰＳ受信機は含まない。ある代替実施形態では、干渉を受けやすいセンサー７は、ＧＰＳ受信機および磁力計を含む。１つの干渉を受けやすいセンサーを解説目的で用いるが、２つ以上の干渉を受けやすいセンサーを、ＵＡＶに担持させ得るし、ここに説明する干渉減少技法は、このような干渉を受けやすいセンサーのいずれかまたは全てのために用いられ得ることが理解される。
【００５５】
上述したように、ＵＡＶの電気部品からの干渉を回避し、かつＵＡＶの信頼性を向上させるために、干渉を受けやすいセンサーは、このような干渉を生成する傾向がある電気部品からある程度の距離のところに位置付けされる。一部の実施形態では、干渉を受けやすいセンサーに対して干渉を生成する全ての電気部品は、センサーから離れて置かれる。干渉を生成する電気部品のうちの一部だけが、センサーから離れて置かれる実施形態もある。
【００５６】
図１〜２に関連して説明したような一部の実施形態では、干渉を生成する電気部品は、ＵＡＶの本体部分の空洞の内部に置かれるが、干渉を受けやすいセンサーは、本体の空洞の外部に置かれる。一部の実施形態では、センサーは、筐体からその内部の空洞から離れるように延長する延長部材上に置かれる。一部の実施形態では、延長部材は、ＵＡＶが飛行中でないときにＵＡＶの重量を全体的にまたは部分的に支持するように適合された支持部材を含み得る。例えば、支持部材は図３に図示するような着陸スタンド４を含み得る。ある代替実施形態では、ＵＡＶは、ＵＡＶが所与の表面上に位置付けされて、下部中心筐体の外側表面がこの表面に直接接触するときのそれなどのスタンドまたは同様の構造体を有しない。一部の実施形態では、センサーは、空洞外部で、かつ筐体の外側表面上に置かれ得る。一部の実施形態のより詳細な説明は、図５〜８に関連して提供される。
【００５７】
一部の実施形態では、センサーと電気部品との間の最小距離は、センサーまたは電気部品の位置とは無関係に、事前定義されたしきい値以下になるように設定される。例えば、ある実施形態では、電気部品およびセンサーは双方とも、筐体の内部または外部の双方に置かれ得るが、最小距離は、少なくとも約３ｃｍである。一部の実施形態では、最小距離は、３ｃｍ未満であることが可能である。ここで用いられる、センサーと複数の電気部品との間の最小距離は、センサーと複数の電気部品のうちの任意のものとの間の最短距離である。最大距離は同様に定義される。例えば、飛行制御モジュール、ＥＳＣモジュール、およびアクチュエータが磁力計から４ｃｍ、７ｃｍ、および８ｃｍであれば、磁力計とこの電気部品グループとの間の最小距離は４ｃｍであり、最大距離は８ｃｍである。一部の実施形態では、干渉を受けやすいセンサーといずれかの干渉生成電気部品との間の最大距離もまた、事前定義されたしきい値、例えば０．５メートル（０．５ｍ）以下となるように設定される。最大距離が０．５ｍを超えることが可能な実施形態もある。様々な実施形態では、最小距離および／または最大距離のしきい値は、ＵＡＶの形状および／または寸法と、干渉生成電気部品の特徴と、干渉を受けやすいセンサーの特徴とに少なくとも部分的に基づいて決定され得る。
【００５８】
一部の実施形態では、ＵＡＶは、図１〜３に示すような筐体を全く有しないことがあり得る。このような実施形態では、干渉生成電気部品と干渉を受けやすいセンサーとの分離は、干渉を受けやすいセンサーが経験する干渉を軽減するに十分であり得る。例えば、ある実施形態では、干渉を受けやすいセンサーといずれかの干渉生成電気部品との間の距離は、３ｃｍ以上で、かつ０．５ｍ以下である。
【００５９】
様々な実施形態では、更なる干渉軽減方法が、ここに説明する技法と関連して用いられ得る。このような方法は、キャパシタ、フィルタ、遮蔽等の使用を含み得る。例えば、ある実施形態では、本体部分の内側表面および／または外側表面は、電気部品によって惹起される干渉を更に減少させるために、導電性の遮蔽材料で作られ得る。
【００６０】
図３に示すような一部の実施形態では、ＵＡＶは、担体５を介して荷重デバイス６（例えば、カメラまたはビデオカメラ）を担持し得る。担体５は、ＵＡＶに連結され、更に荷重デバイス６に連結されるように構成され得る。様々な実施形態では、荷重デバイス６および／または担体５の動作は、機上制御モジュール（例えば、回路モジュール）、遠隔制御デバイス、または双方の組み合わせによって制御することが可能である。
【００６１】
一部の実施形態では、中心筐体または分岐筐体には、表示灯光源（図示せず）が装備され得る。ある実施形態では、この光源は分岐筐体上の開口部または窓に（例えば、回転子から離れてＵＡＶの下部部分に向かって）位置付けされ得る。この開口部または窓は、透明または半透明な材料でできた窓カバーで覆われ、これにより表示灯光源からの少なくとも一部の光線の通過を許容するようにし得る。ある好ましい実施形態では、表示灯光源は、高い輝度、低い電力消費、長い使用寿命、および輸送の容易性を提供する発光ダイオード（ＬＥＤ）を含む。表示灯光源、窓、および窓カバーを、中心筐体上に置くことが可能な実施形態もある。
【００６２】
図４は、ある実施形態に係わる、干渉を受けやすいセンサーを取り付けるために用いられ得る一対の着陸スタンドを示す。着陸スタンド４は、図３に示すそれらに類似し得る。上述したように、着陸スタンドは、ＵＡＶが飛行中でないときに、ＵＡＶの重量を全体的または部分的に支持するように適合され得る。ある実施形態では、ＵＡＶは、ＵＡＶの本体に連結され、かつ適切な距離に離間された２つの類似構造のスタンドを有する。様々な実施形態では、ＵＡＶは、１つ、２つ、３つ、またはこれ以上のスタンドを含むことが可能である。スタンドは、いずれかの適切な構成で筐体の底部（回転子の反対側）に取り付けられ、これにより本体部分の重量を支持するようにすることが可能である。スタンドはまた、スタンド同士間に置かれ得る（カメラまたはビデオカメラなどの）どんな荷重デバイスに対しても保護を提供し得る。長所として、着陸スタンドなどの、ＵＡＶの既存の構造体を用いることは、干渉を受けやすいセンサーとＵＡＶの干渉生成電気部品との間の距離を増し、これによりＵＡＶの見栄えを向上させながらもＵＡＶの重量および経費を軽減するために、ＵＡＶに追加されるべき更なる構造体を何ら必要としない。
【００６３】
図示されるような一部の実施形態では、ＵＡＶは、第１のスタンド４１および第２のスタンド４２を含み得る。干渉を受けやすいセンサーは、第１のスタンド４１または第２のスタンド４２の上に置かれ得る。第１のスタンドおよび第２のスタンドは類似の構造を持ち得るため、第１のスタンド４１の説明を以下の説明中に提供する。第１のスタンド４１は、実質的に水平な接続部分４１２によって接続される２つの実質的に垂直な支持部分４１１を有することが可能である。使用されているとき、干渉を受けやすいセンサー７は、支持部分４１１のうちの一方に、かつ干渉の源から離れる方向に連結することが可能である。例えば、センサー７は、支持部分の端部に向かって、かつ干渉の源（複数可）から離れる方向に配置することが可能である。センサー７が、ここに図示するのとは異なった第１のスタンド４１の部分に置かれ得る実施形態もある。一部の実施形態では、各々の支持部分４１１は、支持部分、したがってスタンドをＵＡＶに取り付けるために用いられ得る取り付けインターフェース４１３を有することが可能である。取り付けインターフェース４１３は、１つ以上の開口部４１４を含むことが可能である。このような開口部は、干渉を受けやすいセンサーと回路モジュールなどのＵＡＶの他の部品とを接続するワイヤの通過を許容し、かつ保証するために用いられ得る。
【００６４】
図５〜８は、一部の実施形態に係わる、干渉を受けやすいセンサーおよび干渉生成電気部品の例示の構成を示す。
【００６５】
ここに説明するように、一部の実施形態では、干渉生成電気部品を、ＵＡＶの本体の空洞内部に置き、干渉を受けやすいセンサーを、この空洞から離れるように延長する延長部材の外側に置くことが可能である。図５〜６は、このような実施形態のうちの一部を示す。図５を参照すると、ＵＡＶの本体５０２は、内部に１つ以上の干渉生成電気部品（図示せず）を取り囲み得る。延長部材５０４は、一方の端部のところで、ＵＡＶの本体部分５０２の外側表面に取り付けることが可能である。干渉を受けやすいセンサー５０６は、空洞から離れている延長部材５０４の他方の端部により近い延長部材５０４の部分に連結され、これにより、干渉を受けやすいセンサー５０６と干渉生成電気部品との間に距離があるようにすることが可能である。センサー５０６は、留め具、にかわ、溶接、またはいずれかの他の適切な方法によって、延長部材５０４に（取り外し可能にまたは永久的に）連結され得る。様々な実施形態では、延長部材５０４は、ポール、フック、プラットフォーム、スロット、またはいずれかの他の適切な構造体を含むことが可能である。一部の実施形態では、干渉を受けやすいセンサーは、有線または無線のリンクを介したりして、干渉生成電気部品に動作可能に接続することが可能であることが理解される。このようなリンクは、図５〜８には必ずしも示されてはいない。ある実施形態では、延長部材は、センサーとＵＡＶ（図示せず）の他の部品（複数可）とを接続するワイヤ（複数可）の通過を許容する中空の空洞を含み得る。
【００６６】
図６ａは、図５に示すＵＡＶの側面図を示す。図示するように、ＵＡＶの本体部分６０２の内側表面は、空洞を形成する。干渉生成電気部品６０８、６１０、および６１２は、空洞の内部に配置され得る。干渉生成電気部品はまた、他の電気部品のうちの一部を電気的に接続する１つ以上の接続部材６１４を含むことが可能である。干渉生成電気部品は、回路モジュール、飛行制御モジュール、ＧＰＳ受信機、エネルギー源、ＥＳＣモジュール、アクチュエータもしくはアクチュエータアセンブリ等のここに説明するもののうちのいずれかを含むことが可能である。様々な実施形態では、図示するより多くのまたは少ない干渉生成電気部品が提供され得ることが理解される。延長部材６０４は、ＵＡＶの本体の上部外側表面に取り付けられ、かつ空洞から離れるように延長する。干渉を受けやすいセンサー６０６は、延長部材６０４に（取り外し可能にまたは永久的に）連結され得る。一般的な実施形態では、干渉を受けやすいセンサー６０６は、ＵＡＶの本体の外側表面に取り付けられない遠位端部に向かう方向になど、空洞から離れる延長部材６０４の部分に置かれる。
【００６７】
図示する例は、ＵＡＶ本体の上部部分に取り付けられる延長部材を示す。延長部材を、外側表面の他の位置に取り付けることが可能な実施形態もある。図６ｂ〜ｃは、このような実施形態のうちの一部を示す。図６ｂに示すような一部の実施形態では、延長部材６０４は、本体の下部部分に取り付けられ得て、かつ空洞から離れるように延長する。図６ｃに示すような一部の他の実施形態では、延長部材６０４は、本体の側部部分に取り付けられ得て、かつ空洞から離れるように延長する。延長部材がここに図示しない他の位置に取り付けられ得る実施形態もある。一部の実施形態では、２つ以上の干渉を受けやすいセンサーが、ＵＡＶに対して提供され得る。一部の実施形態では、センサーは、ここに図示するような１つ以上の延長部材上に置かれ得る。一部の実施形態では、複数の延長部材は、ＵＡＶ本体の外側表面の異なった部分に取り付けられ得る。
【００６８】
一部の実施形態では、延長部材は、本体部分の内側表面に取り付けられ得る。このような実施形態では、延長部材は、本体部分の外側表面に取り付けられたりまたは取り付けられなかったりし得る。例えば、ある実施形態では、延長部材は、本体部分の内側表面および外側表面の双方を貫通し、かつ接触することがあり得る。別の実施形態では、延長部材は、本体部分の内側表面だけに取り付けられ得るし、かつ（例えば、ＵＡＶの本体部分の開口部に接触することなく貫通することによって）外側表面と接触することなく空洞から離れるように延長する。
【００６９】
一部の実施形態では、延長部材を用いる代わりにまたはこれに加えて、干渉を受けやすいセンサーは、ＵＡＶの本体の内側または外側の表面に直接に、かつ干渉生成電気部品から離れるように取り付けられ得る。図７ａ〜ｃに、一部の実施形態に係わる、ＵＡＶの回転子によって形成される平面に実質的に直角な平面に沿ったＵＡＶの側面図を示す。これらの図において、本体７０２、干渉を受けやすいセンサー７０６、ならびに干渉生成電気部品７０８、７１０、７１２、および７１４は、図６に関連して説明した本体６０２、干渉を受けやすいセンサー６０６、ならびに電気部品６０８、６１０、６１２、および６１４に類似し得る。しかしながら、図７ａ〜ｃにおいて、干渉を受けやすいセンサー７０６は、延長部材の使用なしでＵＡＶ本体の内側または外側の表面に直接に置かれる。図７ａによって示されるような一部の実施形態では、干渉を受けやすいセンサー７０６は、回転子羽根（または空洞の上部内側表面）と同じ側にある内側表面上に直接に、かつ様々な干渉生成電気部品から離れて置かれ得る。図７ｂに示されるような一部の実施形態では、干渉を受けやすいセンサー７０６は、回転子羽根（または上部外側表面）と同じ側にある空洞外部の外側表面上に直接に置かれ得る。図７ｃに示されるような一部の実施形態では、干渉を受けやすいセンサー７０６は、回転子羽根（または下部外側表面）の反対側にある外側表面上に直接に、かつ電気部品から離れて置かれ得る。一部の他の実施形態（図示せず）では、干渉を受けやすいセンサーは、回転子羽根（または下部内側表面）の反対側にある内側表面上に直接に、かつ電気部品から離れて置かれ得る。
【００７０】
図８ａ〜ｂは、干渉を受けやすいセンサーがＵＡＶの内側または外側の表面に直接に取り付けられる一部の他の実施形態の見下ろし図を示す。しかしながら、図７ａ〜ｃに示す実施形態とは異なり、示す図は、ＵＡＶの回転子が形成する平面に対して実質的に平行な平面に沿っている。図示するように、本体８０２、干渉を受けやすいセンサー８０６、ならびに干渉生成電気部品８０８、８１０、８１２、および８１４は、図７ａ〜ｃに関連して説明した本体７０２、干渉を受けやすいセンサー７０６、ならびに電気部品７０８、７１０、７１２、および７１４に類似し得る。図８ａに示すような一部の実施形態では、センサー７０６は、ＵＡＶの本体部分の側部内側表面に沿って置かれる。図８ｂに示されるような一部の他の実施形態では、センサー７０６は、ＵＡＶの本体部分の側部外側表面に沿って置かれる。
【００７１】
一部の実施形態では、センサーは、留め具（例えば、ストラップ、ワイヤ）、にかわ、溶接等によってＵＡＶの本体の内側または外側の表面上に取り付けられ得る。一部の実施形態では、センサーは、スロット、グリッド等の構造体を受容することによって、このような表面上のしかるべき位置に保持され得る。一部の他の実施形態では、センサーは、なんら留め具または受容構造体の使用なしで、このような表面上に単に置かれ得る。一部の実施形態では、２つ以上の干渉を受けやすいセンサーは、延長部材を持つまたは持たないＵＡＶの本体部分の様々な位置に取り付けられ得る。例えば、ある実施形態では、センサーのうちの一部は、延長部材を介して本体部分に取り付けられ得るが、ＵＡＶ本体の内側または外側の表面に直接に取り付けられるものもある。
【００７２】
様々な実施形態において、干渉を受けやすいセンサーが経験する干渉は、磁気干渉の磁場方位偏向および／または磁場強度によって測定され得る。このような干渉レベルは、電気部品をそれぞれオフおよびオンしたときのセンサーの読み取り値を比較することによって得られ得る。干渉のレベル、すなわち、オン時の読み取り値とオフ時の読み取り値との間の差は、センサーの位置が変わったときに変動しかねない。特に、センサーと電気部品との間の距離が増すとき、干渉のレベルは減少しかねない。例えば、干渉および／または磁気干渉の強度によって惹起される方位偏向は弱くなり得る。例えば、センサーおよび電気部品をＵＡＶの本体のそれぞれ外側および内側に置かれるとき、磁力計が経験する方位偏向は、磁力計がＵＡＶの本体の内側にあるときにこれが経験する方位偏向よりあるしきい値だけ少なくなり得る。このようなしきい値は、約１５度、１０度、５度等であり得る。別の例として、センサーおよび電気部品が、ＵＡＶの本体のそれぞれ外側および内側に置かれるとき、磁力計が経験する磁場強度は、磁力計がＵＡＶの本体の内側にあるときにこれが経験する磁場強度よりあるしきい値だけ少なくなり得る。このようなしきい値は、約０．５ガウス、０．３ガウス、０．１ガウス等であり得る。
【００７３】
様々な実施形態では、本発明は、様々なサイズ、寸法、および／または構成のＵＡＶに適用され得る。例えば、ある実施形態では、本発明は、互いに対向する回転子の軸同士間の距離があるしきい値を超えない多重回転子ＵＡＶに適用することが可能である。このようなしきい値は、約５メートル、４メートル、３メートル、２メートル、１メートル等であり得る。例えば、互いに対向する回転子の軸同士間の距離の値は、３５０ミリメートル、４５０ミリメートル、８００ミリメートル、９００ミリメートル等であり得る。
【００７４】
一部の実施形態では、ＵＡＶは、人間の占有者を内部にまたはＵＡＶ上に収容するに十分なサイズおよび／または寸法のものであり得る。代替的には、ＵＡＶは、人間の占有者を内部にまたはＵＡＶ上に有することが可能なそれより小さいサイズおよび／または寸法のものであり得る。一部の実施形態では、ＵＡＶは、５ｃｍ×５ｃｍ×３ｃｍ未満の体積を有し得る。一部の例では、ＵＡＶは、５ｍ以下の最大寸法（例えば、長さ、幅、高さ、直径、対角線）を有し得る。例えば、互いに対向する回転子の軸同士間の距離は、５ｍ以下であり得る。一部の実施形態では、フットプリントは、ＵＡＶに包含される横方向断面積のことであり得る。一部の例では、ＵＡＶは、１０００ｋｇ以下の重量であり得る。一部の実施形態では、ＵＡＶは、負荷（荷重デバイスおよび／または担体を含む）と比較して小さいことがあり得る。一部の例では、負荷重量に対するＵＡＶ重量の比が、約１：１より大きい、小さい、または等しいことがあり得る。一部の例では、荷重重量に対するＵＡＶ重量の比が、約１：１より大きい、小さい、または等しいことがあり得る。オプションとして、荷重重量に対する担体重量の比が、約１：１より大きい、小さい、または等しいことがあり得る。一部の実施形態では、ＵＡＶは、低いエネルギー消費を有し得る。例えば、ＵＡＶは、２ｗ／時未満を消費し得る。一部の例では、担体は、低いエネルギー消費を有し得る。例えば、担体は、２ｗ／時未満を消費し得る。
【００７５】
様々な実施形態では、無人航空機を組み立てるためのキットが提供され得る。一部の実施形態では、キットは、ＵＡＶおよび／またはこのＵＡＶの１つ以上の回転子モーターの動作を制御するように適合された１つ以上の電気部品を備える。キットはまた、このＵＡＶのユーザが上記の電気部品を磁力計と一緒に組み立てるための情報を含む説明書を備える。ある実施形態では、この説明書に従って組み立てられたＵＡＶは、これが、空洞を形成する外側表面および内側表面を含み、この空洞の内部に１つ以上の電気部品が配置される筐体を備え、かつ磁力計が筐体の外側に置かれることを特徴とする。別の実施形態では、この説明書に従って組み立てられたＵＡＶは、これが、空洞を形成する外側表面および内側表面を含み、この空洞の内部に１つ以上の電気部品が配置される筐体を備え、かつ磁力計が、１つ以上の電気部品から少なくとも３ｃｍ離れて置かれることを特徴とする。別の実施形態では、この説明書に従って組み立てられたＵＡＶは、これが、ＵＡＶの動作を制御するように適合された１つ以上の電気部品および／またはこのＵＡＶの１つ以上の回転子羽根および１つ以上の電気部品から少なくとも３ｃｍ離れて、かつ最大で０．５ｍ離れて置かれる磁力計を備えることを特徴とする。
【００７６】
一部の実施形態では、ＵＡＶを組み立てるためのキットは、磁力計と、このＵＡＶのユーザがこの磁力計を、ＵＡＶの動作を制御するように適合された１つ以上の電気部品と一緒に組み立てるための情報を含む説明書と、を備え得る。ある実施形態では、説明書に従って組み立てられたＵＡＶは、これが、空洞を形成する外側表面および内側表面を含み、この空洞の内部に１つ以上の電気部品が配置される筐体を備え、かつ磁力計が筐体の外側に置かれることを特徴とする。別の実施形態では、説明書に従って組み立てられたＵＡＶは、これが、空洞を形成する外側表面および内側表面を含み、この空洞の内部に１つ以上の電気部品が配置される筐体を備え、かつ磁力計が、１つ以上の電気部品から少なくとも３ｃｍ離れて置かれることを特徴とする。別の実施形態では、説明書に従って組み立てられたＵＡＶは、これが、ＵＡＶの動作を制御するように適合された１つ以上の電気部品および／またはこのＵＡＶの１つ以上の回転子羽根および１つ以上の電気部品から少なくとも３ｃｍ離れて、かつ最大で０．５ｍ離れて置かれる磁力計を備えることを特徴とする。
【００７７】
一部の実施形態では、ＵＡＶを組み立てるためのキットは、空洞を形成する外側表面および内側表面を備える筐体と、空洞の内部に配置され、かつＵＡＶの動作を制御するように適合された１つ以上の事前構成された電気部品と、その動作が１つ以上の電気部品からの干渉を受けやすい磁力計と、このＵＡＶを組み立てるための説明書と、を備え得る。ある実施形態では、ＵＡＶが説明書に従って組み立てられるとき、この組み立てられたＵＡＶは、磁力計が筐体の外側に置かれることを特徴とする。別の実施形態では、組み立てられたＵＡＶは、磁力計が、１つ以上の電気部品から少なくとも３ｃｍ離れて置かれることを特徴とする。別の実施形態では、組み立てられたＵＡＶは、磁力計が、１つ以上の電気部品から最大で０．５ｍ離れて置かれることを特徴とする。
【００７８】
一部の実施形態では、ＵＡＶを組み立てるためのキットは、空洞の外側表面に取り付け可能な延長部材を更に備え、かつ組み立てられたＵＡＶは、延長部材が筐体の外側表面に取り付けられ、かつ磁力計が延長部材上に置かれることを更に特徴とする。
【００７９】
本発明の別の態様による、ＵＡＶを組み立てる方法が提供される。一部の実施形態では、無人航空機を組み立てる方法は、ＵＡＶの動作を制御するように適合された１つ以上の電気部品および／またはこのＵＡＶの１つ以上の回転子羽根を備えるキット中に提供される説明書に従い、これによりこのＵＡＶを組み立てることを含む。ある実施形態では、組み立てられたときのこのＵＡＶは、これが、空洞を形成する外側表面および内側表面を含み、空洞内部に１つ以上の電気部品が配置される筐体を備え、かつ磁力計が筐体の外部に置かれることを特徴とする。別の実施形態では、組み立てられたときのＵＡＶは、これが、空洞を形成する外側表面および内側表面を含み、空洞の内部に１つ以上の電気部品が配置される筐体を備え、かつ磁力計が、１つ以上の電気部品から少なくとも約３ｃｍ離れて置かれることを特徴とする。別の実施形態では、組み立てられたときのこのＵＡＶは、これが、ＵＡＶの動作を制御するように適合された１つ以上の電気部品および／またはこのＵＡＶの１つ以上の回転子羽根および１つ以上の電気部品から少なくとも３ｃｍ離れ、かつ最大で０．５ｍ離れて置かれることを特徴とする。
【００８０】
一部の実施形態では、無人航空機を組み立てる方法は、磁力計をこのＵＡＶに組み込むための、この磁力計を備えるキット中に提供される説明書に従い、これによりこのＵＡＶを組み立てることを含む。ある実施形態では、組み立てられたときのこのＵＡＶは、これが、空洞を形成する外側表面および内側表面を含み、空洞の内部に１つ以上の電気部品が配置される筐体を備え、かつ磁力計が筐体の外部に置かれることを特徴とする。別の実施形態では、組み立てられたときのこのＵＡＶは、これが、空洞を形成する外側表面および内側表面を含み、空洞の内部に１つ以上の電気部品が配置される筐体を備え、かつ磁力計が、１つ以上の電気部品から少なくとも３ｃｍ離れて置かれることを特徴とする。別の実施形態では、組み立てられたときのこのＵＡＶは、これが、ＵＡＶの動作を制御するように適合された１つ以上の電気部品および／またはこのＵＡＶの１つ以上の回転子羽根および１つ以上の電気部品から少なくとも３ｃｍ離れ、かつ最大で０．５ｍ離れて置かれることを特徴とする。
【００８１】
一部の実施形態では、説明書に従うステップは、１つ以上の回転子羽根を１つ以上の電気部品に接続し、これによりこれらが互いに電気的に連結されるようにすることを含む。一部の実施形態では、このステップは、この磁力計を、この磁力計がこれらの１つ以上の電気部品からの深刻な電磁干渉を経験しない、このＵＡＶ上の位置に置くことを更に含む。
【００８２】
本発明の好ましい実施形態をここに図示し、かつ説明したが、このような実施形態は例示目的で提供されただけであることが当業者には明らかであろう。ここで、当業者は、本発明から逸脱することなく多くの変形、修正、および置換を想定するだろう。本明細書に記載される発明の実施形態に対する様々な代替えが本発明の実践において採用され得ることを理解するべきである。以下の特許請求の範囲は本発明の範囲を定義し、これらの特許請求の範囲内の方法および構造ならびにそれらの均等物はそれによって網羅されることが意図される。
【図１】
2016505435.tif 000003
【図２】
2016505435.tif 000004
【図３】
2016505435.tif 000005
【図４】
2016505435.tif 000006
【図５】
2016505435.tif 000007
【図６ａ】
2016505435.tif 000008
【図６ｂ】
2016505435.tif 000009
【図６ｃ】
2016505435.tif 000010
【図７ａ】
2016505435.tif 000011
【図７ｂ】
2016505435.tif 000012
【図７ｃ】
2016505435.tif 000013
【図８ａ】
2016505435.tif 000014
【図８ｂ】
2016505435.tif 000015
【国際調査報告】
2016505435.tif 000016
2016505435.tif 000017